(57)【特許請求の範囲】
【請求項１】
対象物の真贋を検証する対象物検証装置であって、
対象物の可視画像を取得する可視画像取得部と、
対象物の可視外画像を取得する可視外画像取得部と、
対象物中の真贋を検証すべき検証領域を特定する検証領域特定部と、
前記可視画像中の前記検証領域における複数の有記載部分を検出する有記載部分検出部と、
前記可視外画像における、前記可視画像中で検出された前記複数の有記載部分に共通の複数の有記載部分間で互いに比較することで、対象物の真贋を検証する検証部と、
を備えたことを特徴とする対象物検証装置。
【請求項２】
固有情報が記載される対象物中の固有領域を記憶した検証領域情報記憶部をさらに備え、
前記検証領域特定部は、前記検証領域情報記憶部に記憶された前記固有領域を前記検証領域として特定する
ことを特徴とする請求項１に記載の対象物検証装置。
【請求項３】
定型情報が記載される対象物中の定型領域を記憶した検出領域情報記憶部をさらに備え、
前記検証領域特定部は、前記検出領域情報記憶部に記憶された前記定型領域を除く領域を前記検証領域として特定する
ことを特徴とする請求項１に記載の対象物検証装置。
【請求項４】
前記検証部は、検出された前記複数の有記載部分における各記載内容の輝度を互いに比較することにより、対象物の真贋を検証することを特徴とする請求項１ないし３のいずれか一項に記載の対象物検証装置。
【請求項５】
前記検証部は、検出された前記複数の有記載部分における各記載内容の背景との輝度差を互いに比較することにより、対象物の真贋を検証することを特徴とする請求項１ないし３のいずれか一項に記載の対象物検証装置。
【請求項６】
前記検証部は、検出された前記複数の有記載部分における各記載内容の文字フォントを互いに比較することにより、対象物の真贋を検証することを特徴とする請求項１ないし３のいずれか一項に記載の対象物検証装置。
【請求項７】
対象物の真贋を検証する対象物検証装置であって、
対象物の可視画像を取得する可視画像取得部と、
対象物の可視外画像を取得する可視外画像取得部と、
前記可視画像における対象物の複数の有記載部分を可視画像有記載部分として検出する可視画像有記載部分検出部と、
前記可視外画像における対象物の複数の有記載部分を可視外画像有記載部分として検出する可視外画像有記載部分検出部と、
検出された前記複数の可視画像有記載部分と前記複数の可視外画像有記載部分とを互いに比較することで、対象物の真贋を検証する検証部と、
を備えたことを特徴とする対象物検証装置。
【請求項８】
対象物中の真贋を検証すべき検証領域を特定する検証領域特定部をさらに備え、
前記可視画像有記載部分検出部は、前記可視画像中の特定された前記検証領域において前記複数の可視画像有記載部分を検出し、
前記可視外画像有記載部分検出部は、前記可視外画像中の特定された前記検証領域において前記複数の可視外画像有記載部分を検出する
ことを特徴とする請求項７に記載の対象物検証装置。
【請求項９】
前記検証部は、前記可視画像の前記可視画像有記載部分と当該可視画像有記載部分に対応する前記可視外画像の前記可視外画像有記載部分との輝度差を、複数の前記可視画像有記載部分及び前記可視外画像有記載部分の組み合わせについて互いに比較することで、対象物の真贋を検証することを特徴とする請求項７又は８に記載の対象物検証装置。
【請求項１０】
前記検証部は、前記可視画像における前記複数の可視画像有記載部分の配置と前記可視外画像における前記複数の可視外画像有記載部分の配置とを比較することで、対象物の真贋を検証することを特徴とする請求項７又は８に記載の対象物検証装置。
【請求項１１】
コンピュータを備えた、対象物の真贋を検証する対象物検証装置において、前記コンピュータにて実行されることで、前記対象物検証装置を、
対象物の可視画像を取得する可視画像取得部、
対象物の可視外画像を取得する可視外画像取得部、
対象物中の真贋を検証すべき検証領域を特定する検証領域特定部、
前記可視画像中の前記検証領域における複数の有記載部分を検出する有記載部分検出部、及び
前記可視外画像における、前記可視画像中で検出された前記複数の有記載部分に共通の複数の有記載部分間で互いに比較することで、対象物の真贋を検証する検証部、
として機能させることを特徴とする対象物検証プログラム。
【請求項１２】
コンピュータを備えた、対象物の真贋を検証する対象物検証装置において、前記コンピュータにて実行されることで、前記対象物検証装置を、
対象物の可視画像を取得する可視画像取得部、
対象物の可視外画像を取得する可視外画像取得部、
前記可視画像における有記載部分を可視画像有記載部分として検出する可視画像有記載部分検出部、
前記可視外画像における有記載部分を可視外画像有記載部分として検出する可視画像有記載部分検出部、及び
検出された前記可視画像有記載部分と前記可視外画像有記載部分とを互いに比較することで、対象物の真贋を検証する検証部、
として機能させることを特徴とする対象物検証プログラム。
【請求項１３】
対象物の真贋を検証する対象物検証方法であって、
対象物の可視画像を取得する可視画像取得ステップと、
対象物の可視外画像を取得する可視外画像取得ステップと、
対象物中の真贋を検証すべき検証領域を特定する検証領域特定ステップと、
前記可視画像中の前記検証領域における複数の有記載部分を検出する有記載部分検出ステップと、
前記可視外画像における、前記可視画像中で検出された前記複数の有記載部分に共通の複数の有記載部分間で互いに比較することで、対象物の真贋を検証する検証ステップと、
を含むことを特徴とする対象物検証方法。
【請求項１４】
対象物の真贋を検証する対象物検証方法であって、
対象物の可視画像を取得する可視画像取得ステップと、
対象物の可視外画像を取得する可視外画像取得ステップと、
前記可視画像における有記載部分を可視画像有記載部分として検出する可視画像有記載部分検出ステップと、
前記可視外画像における有記載部分を可視外画像有記載部分として検出する可視画像有記載部分検出ステップと、及び
検出された前記可視画像有記載部分と前記可視外画像有記載部分とを互いに比較することで、対象物の真贋を検証する検証ステップと、
を含むことを特徴とする対象物検証方法。
【発明の詳細な説明】
【技術分野】
【０００１】
本発明は、対象物の真贋を検証する対象物検証装置、対象物検証プログラム、及び対象物検証方法に関するものである。
【背景技術】
【０００２】
従来、対象物の真贋を検証する対象物検証装置として、パスポート等のように紫外線を反射する材料（インク等）で所定のマークが付された対象物の真贋を検証する装置が知られている。この対象物検証装置は、対象物に紫外線を照射して対象物を撮影することで紫外画像を取得して、紫外画像において映し出されたパターンの種類及び位置を特定して、その特定したパターンの種類及び位置を参照パターンと比較することで対象物の真贋を検証している。
【０００３】
また、対象物の真贋を検証する対象物検証装置として、運転免許証に可視光線を照射したときの写真領域と写真領域外との反射率や透過率の差によって運転免許証の真贋を検証する装置が知られている（例えば、特許文献１を参照）。
【先行技術文献】
【特許文献】
【０００４】
【特許文献１】特開２００１−２６６２０６号公報
【発明の概要】
【発明が解決しようとする課題】
【０００５】
しかしながら、紫外画像を用いた上記従来の対象物検証装置によれば、認証マークが付されていない対象物の検証はできない。また、認証マークが付された申請の対象物であっても、認証マーク以外の領域に対して行なわれた改ざんを発見することはできない。また、写真領域と写真領域外との反射率や透過率の差によって運転免許証の真贋を検証する上記従来の対象物検証装置では、写真領域外において行なわれた改ざんを発見することはできない。
【０００６】
本発明は、上記の問題に鑑みてなされたものであり、特殊な材料で付された認証マークを必要とせず、対象物中の任意の領域における不正な記載を発見できる対象物検証装置を提供することを目的とする。
【課題を解決するための手段】
【０００７】
本発明の対象物検証装置は、対象物の真贋を検証する対象物検証装置であって、対象物の画像を取得する画像取得部と、対象物中の真贋を検証すべき検証領域を特定する検証領域特定部と、前記画像中の前記検証領域における複数の有記載部分を検出する有記載部分検出部と、前記画像における前記複数の有記載部分を互いに比較することで、対象物の真贋を検証する検証部とを備えた構成を有している。
【０００８】
この構成によれば、検証領域における複数の有記載部分が互いに比較されるので、対象物の画像内で、不正に書き足された有記載部分と真正な有記載部分とが互いに比較されるので、特殊な材料で付された認証マークを必要とせずに不正な記載を発見できる。また、検証領域特定部によって検証領域が特定されるので、対象物中の不正な記載の可能性がある任意の領域で、各有記載部分を互いに比較することができ、例えば、固有情報が記載された領域において複数の有記載部分を互いに比較し、定型情報が記載された領域の有記載部分と固有情報が記載された領域の有記載部分とを互いに比較しないようにすることができる。なお、本発明において、対象物の真贋の検証は、対象物中の不正な記載の有無の検証を含むものである。即ち、対象物（例えば、運転免許証、パスポート等）自体が真正のものであっても、そこに書き足し等の不正な記載がある場合には、その対象物は贋物であると判断される。即ち、本発明でいう「真贋の検証」には「改ざんの有無の検証（検出）」という概念が含まれる。
【０００９】
上記の対象物検証装置において、前記画像取得部は、対象物の可視画像を取得する可視画像取得部と、対象物の可視外画像を取得する可視外画像取得部とを備えていてよく、前記有記載部分検出部は、前記可視画像から前記有記載部分を検出してよく、前記検証部は、前記可視外画像における前記複数の有記載部分を互いに比較することで、対象物の真贋を検証してよい。
【００１０】
この構成によれば、人の目で見て互いに相違がないと思われる可視画像中の複数の有記載部分についても、可視外画像で相違が生じた場合に、不正な記載があると判断できる。
【００１１】
上記の対象物検証装置は、固有情報が記載される対象物中の固有領域を記憶した検証領域情報記憶部をさらに備えていてよく、前記検証領域特定部は、前記検証領域情報記憶部に記憶された前記固有領域を前記検証領域として特定してよい。
【００１２】
この構成によれば、運手免許証等の定型情報が記載される領域と固有情報が記載される領域とが決まっている対象物について、固有情報が記載される領域を検証領域として記憶しておくことができ、ユーザが検証領域を指定することなく、検証領域を特定できる。
【００１３】
上記の対象物検証装置は、定型情報が記載される対象物中の定型領域を記憶した検出領域情報記憶部をさらに備えていてよく、前記検証領域特定部は、前記検証領域情報記憶部に記憶された前記定型領域を除く領域を前記検証領域として特定してよい。
【００１４】
この構成によれば、運手免許証等の定型情報が記載される領域と固有情報が記載される領域とが決まっている対象物について、定型情報が記載される領域を非検出領域として記憶しておくことができ、ユーザが検証領域を指定することなく、検証領域を特定できる。
【００１５】
上記の対象物検証装置において、前記検証部は、検出された前記複数の可視画像有記載部分における各記載内容の輝度を互いに比較することにより、対象物の真贋を検証してよい。
【００１６】
この構成によれば、不正に書き足された記載内容と真正な記載内容とで輝度が異なる場合に、不正な記載を発見できる。特に、検証部が可視外画像を用いて各記載内容の比較を行なうことで、人の目では区別できない不正な記載と真正な記載とを区別できる。
【００１７】
上記の対象物検証装置において、前記検証部は、検出された前記複数の可視画像有記載部分における各記載内容の背景との輝度差を互いに比較することにより、対象物の真贋を検証してよい。
【００１８】
この構成によれば、不正に書き足された記載内容と真正な記載内容とで記載内容の背景との輝度差が異なる場合に、不正な記載を発見でき、特に、検証部が可視外画像を用いて各記載内容の比較を行なうことで、人の目では区別できない不正な記載と真正な記載とを区別できる。
【００１９】
上記の対象物検証装置において、前記検証部は、検出された前記複数の可視画像有記載部分における各記載内容の文字フォントを互いに比較することにより、対象物の真贋を検証してよい。
【００２０】
この構成によれば、不正に書き足された記載内容と真正な記載内容とで文字フォントが異なる場合に、不正な記載を発見できる。なお、この場合には、画像取得部が可視画像と可視外画像を取得しなくとも、例えば可視画像のみでも不正な記載を発見できる。
【００２１】
本発明の別の態様の対象物検証装置において、対象物の真贋を検証する対象物検証装置であって、対象物の可視画像を取得する可視画像取得部と、対象物の可視外画像を取得する可視外画像取得部と、前記可視画像における対象物の複数の有記載部分を可視画像有記載部分として検出する可視画像有記載部分検出部と、前記可視外画像における対象物の複数の有記載部分を可視外画像有記載部分として検出する可視外画像有記載部分検出部と、検出された前記複数の可視画像有記載部分と前記複数の可視外画像有記載部分とを互いに比較することで、対象物の真贋を検証する検証部とを備えた構成を有している。
【００２２】
この構成によれば、人の目で見て互いに相違がないと思われる可視画像有記載部分についても、それらの有記載部分が材料（インク等）の違いによって可視外画像で現れたり現れなかったりするので、複数の可視画像有記載部分と複数の可視外画像有記載部分とを互いに比較することで、特殊な材料で付された認証マークを必要とせずに不正な記載を発見できる。
【００２３】
上記の対象物検証装置は、対象物中の真贋を検証すべき検証領域を特定する検証領域特定部をさらに備えていてよく、前記可視画像有記載部分検出部は、前記可視画像中の特定された前記検証領域において前記複数の可視画像有記載部分を検出してよく、前記可視外画像有記載部分検出部は、前記可視外画像中の特定された前記検証領域において前記複数の可視外画像有記載部分を検出してよい。
【００２４】
この構成によれば、検証部にて比較する領域を固有情報が記載された領域に限定することができ、真贋の検証の精度を向上できる。
【００２５】
上記の対象物検証装置において、前記検証部は、前記可視画像の前記可視画像有記載部分と当該可視画像有記載部分に対応する前記可視外画像の前記可視外画像有記載部分との輝度差を、複数の前記可視画像有記載部分及び前記可視外画像有記載部分の組み合わせについて互いに比較することで、対象物の真贋を検証してよい。
【００２６】
この構成によれば、人の目で見て互いに相違がないと思われる可視画像有記載部分についても、それらの有記載部分が材料（インク等）の違いによって可視外画像で濃く映ったり薄く映ったり（あるいはまったく映らなかったり）するので、複数の可視画像有記載部分と複数の可視外画像有記載部分とを互いに比較することで、特殊な材料で付された認証マークを必要とせずに不正な記載を発見できる。
【００２７】
上記の対象物検証装置において、前記検証部は、前記可視画像における前記複数の可視画像有記載部分の配置パターンと前記可視外画像における前記複数の可視外画像有記載部分の配置パターンとを比較することで、対象物の真贋を検証してよい。
【００２８】
この構成によれば、人の目で見て互いに相違がないと思われる可視画像有記載部分についても、それらの有記載部分が材料（インク等）の違いによって可視外画像で映ったり映らなかったりして、可視画像における複数の可視画像有記載部分の配置パターンと可視外画像における複数の可視外画像有記載部分の配置パターンとが異なることがあるので、配置パターンを比較することで、特殊な材料で付された認証マークを必要とせずに不正な記載を発見できる。
【００２９】
本発明のさらに別の態様は、対象物検証プログラムであって、このプログラムは、コンピュータを備えた、対象物の真贋を検証する対象物検証装置において、前記コンピュータにて実行されることで、前記対象物検証装置を、対象物の画像を取得する画像取得部、対象物中の真贋を検証すべき検証領域を特定する検証領域特定部、前記画像中の前記検証領域における複数の有記載部分を画像有記載部分として検出する画像有記載部分検出部、及び検出された複数の前記画像有記載部分を互いに比較することで、対象物の真贋を検証する検証部として機能させる構成を有している。
【００３０】
この構成によっても、検証領域における複数の有記載部分が互いに比較されるので、対象物の画像内で、不正に書き足された有記載部分と真正な有記載部分とが互いに比較されるので、特殊な材料で付された認証マークを必要とせずに不正な記載を発見できる。また、検証領域特定部によって検証領域が特定されるので、対象物中の不正な記載の可能性がある任意の領域で、各有記載部分を互いに比較することができる。
【００３１】
本発明の別の態様の対象物検証プログラムは、コンピュータを備えた、対象物の真贋を検証する対象物検証装置において、前記コンピュータにて実行されることで、前記対象物検証装置を、対象物の可視画像を取得する可視画像取得部、対象物の可視外画像を取得する可視外画像取得部、前記可視画像における有記載部分を可視画像有記載部分として検出する可視画像有記載部分検出部、前記可視外画像における有記載部分を可視外画像有記載部分として検出する可視画像有記載部分検出部、及び検出された前記可視画像有記載部分と前記可視外画像有記載部分とを互いに比較することで、対象物の真贋を検証する検証部として機能させる構成を有している。
【００３２】
この構成によっても、人の目で見て互いに相違がないと思われる可視画像有記載部分についても、それらの有記載部分が材料（インク等）の違いによって可視外画像で現れたり現れなかったりするので、複数の可視画像有記載部分と複数の可視外画像有記載部分とを互いに比較することで、特殊な材料で付された認証マークを必要とせずに不正な記載を発見できる。
【００３３】
本発明のさらに別の態様は、対象物の真贋を検証する対象物検証方法であって、対象物の画像を取得する画像取得ステップと、前象物中の真贋を検証すべき検証領域を特定する検証領域特定ステップと、前記画像中の前記検証領域における複数の有記載部分を画像有記載部分として検出する画像有記載部分検出ステップと、検出された複数の前記画像有記載部分を互いに比較することで、対象物の真贋を検証する検証ステップとを含む構成を有している。
【００３４】
この構成によっても、検証領域における複数の有記載部分が互いに比較されるので、対象物の画像内で、不正に書き足された有記載部分と真正な有記載部分とが互いに比較されるので、特殊な材料で付された認証マークを必要とせずに不正な記載を発見できる。また、検証領域特定ステップによって検証領域が特定されるので、対象物中の不正な記載の可能性がある任意の領域で、各有記載部分を互いに比較することができる。
【００３５】
本発明の別の態様の対象物検証方法は、対象物の真贋を検証する対象物検証方法であって、対象物の可視画像を取得する可視画像取得ステップと、対象物の可視外画像を取得する可視外画像取得ステップと、前記可視画像における有記載部分を可視画像有記載部分として検出する可視画像有記載部分検出ステップと、前記可視外画像における有記載部分を可視外画像有記載部分として検出する可視画像有記載部分検出ステップと、及び検出された前記可視画像有記載部分と前記可視外画像有記載部分とを互いに比較することで、対象物の真贋を検証する検証ステップとを含む構成を有している。
【００３６】
この構成によっても、人の目で見て互いに相違がないと思われる可視画像有記載部分についても、それらの有記載部分が材料（インク等）の違いによって可視外画像で現れたり現れなかったりするので、複数の可視画像有記載部分と複数の可視外画像有記載部分とを互いに比較することで、特殊な材料で付された認証マークを必要とせずに不正な記載を発見できる。
【発明の効果】
【００３７】
本発明によれば、特殊な材料で付された認証マークを必要とせず、対象物中の任意の領域における不正な記載を発見できる。
【図面の簡単な説明】
【００３８】
【図１】本発明の第１の実施の形態の対象物検証装置の構成を示すブロック図
【図２】本発明の実施の形態の対象物検証装置を含む対象物検証システムを示す図
【図３】本発明の実施の形態の対象物読取装置の全体構成を示す斜視図
【図４】本発明の実施の形態の対象物読取装置の内部の要部を示す側面図
【図５】本発明の実施の形態の対象物読取装置におけるＬＥＤ素子の配置を示す照明基板の正面図
【図６】本発明の第１の実施の形態の対象物検証装置の検証領域情報記憶部に記憶された検証領域情報の具体例を示す図
【図７】（ａ）本発明の第１の実施の形態の真正な運転免許証の可視画像の具体例を示す図  （ｂ）本発明の第１の実施の形態の真正な運転免許証の赤外画像の具体例を示す図  （ｃ）本発明の第１の実施の形態の真正な運転免許証の紫外画像の具体例を示す図  （ｄ）本発明の第１の実施の形態の真正な運転免許証の可視画像に対して有記載部分の検出を行なった結果を示す図  （ｅ）本発明の第１の実施の形態の真正な運転免許証の赤外画像に対して有記載部分の検出を行なった結果を示す図  （ｆ）本発明の第１の実施の形態の真正な運転免許証の紫外画像に対して有記載部分の検出を行なった結果を示す図
【図８】（ａ）本発明の第１の実施の形態の改ざんされた運転免許証の可視画像の具体例を示す図  （ｂ）本発明の第１の実施の形態の改ざんされた運転免許証の赤外画像の具体例を示す図  （ｃ）本発明の第１の実施の形態の改ざんされた運転免許証の紫外画像の具体例を示す図  （ｄ）本発明の第１の実施の形態の改ざんされた運転免許証の可視画像に対して有記載部分の検出を行なった結果を示す図  （ｅ）本発明の第１の実施の形態の改ざんされた運転免許証の赤外画像に対して有記載部分の検出を行なった結果を示す図  （ｆ）本発明の第１の実施の形態の改ざんされた運転免許証の紫外画像に対して有記載部分の検出を行なった結果を示す図
【図９】本発明の第２の実施の形態の対象物検証装置の構成を示すブロック図
【図１０】（ａ）本発明の第２の実施の形態の改ざんされた運転免許証の可視画像の具体例を示す図  （ｂ）本発明の第２の実施の形態の改ざんされた運転免許証の赤外画像の具体例を示す図  （ｃ）本発明の第２の実施の形態の改ざんされた運転免許証の紫外画像の具体例を示す図  （ｄ）本発明の第２の実施の形態の改ざんされた運転免許証の可視画像に対して有記載部分の検出を行なった結果を示す図  （ｅ）本発明の第２の実施の形態の改ざんされた運転免許証の赤外画像に対して有記載部分の検出を行なった結果を示す図  （ｆ）本発明の第２の実施の形態の改ざんされた運転免許証の紫外画像に対して有記載部分の検出を行なった結果を示す図
【発明を実施するための形態】
【００３９】
以下、本発明の実施の形態の対象物検証装置について、図面を参照しながら説明する。以下では、対象物としての運転免許証の検証を行なう装置を説明するが、本発明の対象物検証装置が検証を行なう対象物は、運転免許証には限られず、任意の証書であってよい。
【００４０】
図２は、本発明の実施の形態の対象物検証装置を含む対象物検証システムを示す図である。図２に示すように、対象物検証装置１００は、対象物読取装置１と例えばＵＳＢ（Universal Serial Bus）を介して接続されて、全体として対象物検証システム１０００を構成する。対象物読取装置１は、対象物である運転免許証を読み取って、その読取画像を対象物検証装置１００に出力する。対象物検証装置１００は、この読取画像を用いて対象物の真贋を検証する。なお、対象物検証装置１００が対象物読取装置１に組み込まれてもよい。以下では、まず、対象物読取装置１の構成を説明し、その後に対象物検証装置の第１及び第２の実施の形態を説明する。
【００４１】
図３は、本発明の実施の形態の対象物読取装置の全体構成を示す斜視図である。対象物読取装置１は、内部が空洞の略直方体のハウジング２を有し、机上等に置いて使用される。なお、以下の説明での上下方向は、対象物読取装置１を机上に置いた状態におけるものとする。
【００４２】
図４は、本発明の実施の形態の対象物読取装置の内部の要部を示す側面図である。図４に併せて示されるように、ハウジング２の上面には、その概ね全面に亘って読取対象物載置部としてのガラス板３が設けられている。そのガラス板３の上面に検証の対象物としての例えば運転免許証４がその被読取面４ａをガラス板３に向けて載置される。ハウジング２の内部にはガラス板３の下方となるハウジング２の底面近傍にメイン基板５が配設されている。メイン基板５には対象物読取装置１の制御回路やドライブ回路等が設けられている。メイン基板５の一端側の上方位置にはガラス板３の裏面に臨むように斜め上向きにされた照明基板６が配設されている。
【００４３】
図５は、本発明の実施の形態の対象物読取装置におけるＬＥＤ素子の配置を示す照明基板の正面図である。図５は、図４において照明基板６を方向ＩＶから見た状態を示している。図４、図５に示されるように、照明基板６には、発光素子としてのＬＥＤ素子を複数並べた各ＬＥＤ列７が上下２列に配設され、各ＬＥＤ列７の各ＬＥＤ素子の出射面をそれぞれ覆うように棒状の各導光体（上側導光体８及び下側導光体９。以降、これらをまとめて「導光体８、９」と記載することがある。）が配設されている（ただし、図５では、導光体８、９は二点破線で描かれている。）。また、照明基板６と各導光体８、９の間には、照明基板６に配置されたＬＥＤ列７の各ＬＥＤ素子にそれぞれ対応する開口部が設けられた樹脂製のスペーサー１６が配置されている。スペーサー１６に設けた開口部の壁面はＬＥＤ素子の光出射方向に広がるテーパー形状を成しており、ＬＥＤ素子の出射光はこの壁面で反射されて効率よく導光体８、９の中に導かれる。
【００４４】
上側導光体８は、図３、図５に示されるように、長手方向の中央部において、その左右が線対称となる形状を有しており、長手方向の中央部と両端部との３箇所に設けられた各取付孔を用いて、スペーサー１６を間に挟んだ形で照明基板６にねじ止めされ、同様に下側導光体９も、長手方向の中央部において、その左右が線対称となる形状を有し、長手方向の中央部と両端部との３箇所に設けられた各取付孔を用いて、スペーサー１６を間に挟んだ形で照明基板６にねじ止めされている（取付孔、各ねじは図示省略）。このように導光体８、９はそれぞれ一体物として構成されているが、照明基板６において、各導光体８、９の長手方向中央部に対応する位置にはＬＥＤ列７が配置されておらず、当該部分は光学的な機能を持たないため、長手方向中央部にて各導光体８、９を分断する構成としてもよい。このようにすれば、分断部分に対応する照明基板６に電気部品を配置することができるので、照明基板６の実装効率が向上する。
【００４５】
図３、図４に示されているように、上側導光体８の長手方向中央かつその上側となる位置にはガラス板３の上面に載置された運転免許証４の被読取面４ａを撮像する撮像装置としてのカメラ１３が配設され、カメラ１３に対向する位置に、被読取面４ａの像の光路をカメラ１３に向けて屈曲させるための反射鏡１４が配設されている。このように光路を曲げるのは、対象物読取装置１をコンパクト化するのに有効であるためである。
【００４６】
図５には、照明基板６に配設された各ＬＥＤ列７のそれぞれのＬＥＤ素子の配置が示されている。上側導光体８に対応する部分には、上側導光体８の長手方向となる上側基準線Ｌ１に沿って図の中央部から右側へ、紫外線用の２つの紫外ＬＥＤ素子ＵＶ１、ＵＶ２、赤外線用の赤外ＬＥＤ素子ＩＲ１、可視光用としての白色ＬＥＤ素子ＷＬ１、２つの紫外ＬＥＤ素子ＵＶ３、ＵＶ４、赤外ＬＥＤ素子ＩＲ２、白色ＬＥＤ素子ＷＬ２がこの順で配設されている。また、上側導光体８の図の中央部から左側部分のＬＥＤ列７の各ＬＥＤ素子は上記右側に対して左右対称に配置されている。
【００４７】
同様に、下側導光体９に対応する部分には、下側導光体９の長手方向となる下側基準線Ｌ２に沿って図の中央部から右側へ、４つの紫外ＬＥＤ素子ＵＶ５、ＵＶ６、ＵＶ７、ＵＶ８、赤外ＬＥＤ素子ＩＲ３、白色ＬＥＤ素子ＷＬ３、紫外ＬＥＤ素子ＵＶ９、白色ＬＥＤ素子ＷＬ４がこの順で配設されている。また、下側導光体９の図の中央部から左側部分のＬＥＤ列７の各ＬＥＤ素子も上記右側に対して左右対称に配置されている。
【００４８】
これらの白色ＬＥＤ、赤外ＬＥＤ、紫外ＬＥＤはメイン基板５上の駆動回路に接続されており、それぞれ独立して発光可能とされている。なお、カメラ１３は結像光学系、撮像素子等で構成されているが（共に図示せず）、本実施の形態の対象物読取装置１には、運転免許証４等の表面で拡散反射される赤外光及び紫外光を読み取る必要から赤外カットフィルタ及び紫外カットフィルタは設けられていない。
【００４９】
対象物読取装置１は、運転免許証４がガラス板３に載置された状態で、順に白色ＬＥＤを発光させてカメラ１３で可視画像を撮影し、赤外ＬＥＤを発光させてカメラ１３で赤外画像を撮影し、紫外ＬＥＤを発光させて紫外画像を撮影する。可視画像、赤外画像、及び紫外画像は、対象物検出装置１００に出力される。
【００５０】
（第１の実施の形態）
図１は、本発明の第１の実施の形態の対象物検証装置の構成を示すブロック図である。対象物検証装置１００は、画像取得部１０と、検証領域特定部２０と、有記載部分検出部３０と、検証部４０と、検証領域情報記憶部５０と、出力部６０とを備えている。
【００５１】
画像取得部１０は、対象物読取装置１から画像を取得する。画像取得部１０は、可視画像取得部１０１、赤外画像取得部１０２、及び紫外画像取得部１０３からなる。可視画像取得部１０１は、対象物読取装置１から出力された可視画像を取得し、赤外画像取得部１０２は、対象物読取装置１から出力された赤外画像を取得し、紫外画像取得部１０３は、対象物読取装置１から出力された紫外画像を取得する。赤外画像及び紫外画像は、本発明の「可視外画像」に相当する。なお、既に説明したように、対象物読取装置１は免許証４等表面で拡散反射される紫外光をカメラ１３で撮像しているが、紫外線照射によって免許証等表面で生起する蛍光を撮像するようにしてもよい。この場合、一般に蛍光は可視光でありカメラ１３は可視光を撮像することになるが、免許証等を照射する一次光源としての紫外光は不可視であることから、二次的に生じた蛍光を撮像した画像も、ここに言う「可視外画像（紫外画像）」に含まれるものとする。
【００５２】
検証領域情報記憶部５０には、運転免許証の定型情報が記載された定型領域の情報が記憶されている。図６は、検証領域情報記憶部５０に記憶された検証領域情報の具体例を示す図である。図６においてハッチングを施した領域が、定型領域である。定型領域は、運転免許証の罫線、「氏名」、「住所」等の記載項目名、「第」、「号」、「平成」等が記載された領域である。図６においてハッチングが施されていない領域、即ち定型領域以外の領域は、固有情報が記載される固有領域である。図６に示すように、固有領域は、氏名が記載される領域ＡＲ１、住所が記載される領域ＡＲ２、番号が記載される領域ＡＲ３、期限年が記載される領域ＡＲ４、及び期限月が記載される領域ＡＲ５に分離している。
【００５３】
検証領域特定部２０は、検証領域情報記憶部５０に記憶されている定型領域の情報に基づいて、この定型領域以外の領域を検証領域として特定する。この検出領域は、即ち固有情報が記載される固有領域である。検証領域特定部２０は、複数の独立した固有領域ＡＲ１〜ＡＲ５をそれぞれ検証領域として特定し、その情報を有記載部分検出部３０に出力する。
【００５４】
有記載部分検出部３０は、可視画像取得部１０１から可視画像を取得する。有記載部分検出部３０は、可視画像における、検証領域特定部２０にて特定された検証領域において、記載がある部分を検出する。本実施の形態の運転免許証における検証領域には、白色を背景として、黒色で文字又は数字（以下単に「文字」という。）が記載されている。有記載部分検出部３０は、可視画像の検証領域にて２値化処理して、１つの文字を形成する黒色の画素の集合を認識して、１つの文字又は数字を含む矩形部分を有記載部分として検出する。
【００５５】
図７（ａ）は可視画像の具体例を示す図であり、図７（ｄ）は、この可視画像に対して有記載部分の検出を行なった結果を示す図である。図７（ｄ）において、太枠で囲った部分が有記載部分検出部３０にて有記載部分として検出された部分である。このように、有記載部分は１文字ごとに検出されるので、１つの対象物からは複数の有記載部分が検出され、また、検証領域からも複数の有記載部分が検出される（期限月の領域ＡＲ５は１つの有記載部分しか検出されないことがある）。
【００５６】
検証部４０は、運転免許証の真贋を検証する。検証部４０は、可視画像検証部４０１と、赤外画像検証部４０２と、紫外画像検証部４０３と、画像間比較検証部４０４とからなる。可視画像検証部４０１は、可視画像取得部１０１から可視画像を取得し、かつ、有記載部分検出部３０から有記載部分の情報を取得して、可視画像の複数の有記載部分を互いに比較することで真贋を検証する。赤外画像検証部４０２は、赤外画像取得部１０２から赤外画像を取得し、かつ、有記載部分検出部３０から有記載部分の情報を取得して、赤外画像の複数の有記載部分を互いに比較することで真贋を検証する。紫外画像検証部４０３は、紫外画像取得部１０３から紫外画像を取得し、かつ、有記載部分検出部３０から有記載部分の情報を取得して、紫外画像の複数の有記載部分を互いに比較することで真贋を検証する。即ち、可視画像検証部４０１、赤外画像検証部４０２、及び紫外画像検証部４０３は、それぞれ可視画像、赤外画像、及び紫外画像において、画像内検証を行う。
【００５７】
画像間比較検証部４０４は、可視画像取得部１０１から可視画像を取得し、赤外画像取得部１０２から赤外画像を取得し、紫外画像取得部１０３から紫外画像を取得し、かつ、有記載部分検出部３０から有記載部分の情報を取得する。画像間比較検証部４０４は、可視画像、赤外画像、及び紫外画像における互いに対応する有記載部分を比較することで真贋を検証する。即ち、画像間比較検証部４０４は、可視画像、赤外画像、及び紫外画像の間で画像間検証を行なう。
【００５８】
上述のように、本実施の形態では、可視画像に対して有記載部分の検出を行い、この結果を可視画像検証部４０１、赤外画像検証部４０２、紫外画像検証部４０３、及び画像間比較検証部４０４で利用する。よって、可視画像検証部４０１、赤外画像検証部４０２、紫外画像検証部４０３、及び画像間比較検証部４０４において検証を行なう際の有記載部分は、全て共通であり、例えば、可視画像からは検出されたが紫外画像からは有記載部分として検出されなかった部分についても、紫外画像の検証において、有記載部分として扱われる。
【００５９】
図７は、真正の運転免許証の画像を示す図である。図８は、図７の運転免許証を元に改ざんされた運転免許証の画像を示す図である。図７及び図８において、いずれも（ａ）は可視画像を示す図であり、（ｂ）は赤外画像を示す図であり、（ｃ）は紫外画像を示す図であり、（ｄ）は可視画像の検証領域に対して有記載部分の検出を行なった結果を示す図であり、（ｅ）は赤外画像の検証領域に対して可視画像にて検出された有記載部分を適用した図であり、（ｆ）は紫外画像の検証領域に対して可視画像にて検出された有記載部分を適用した図である。
【００６０】
まず、可視画像検証部４０１、赤外画像検証部４０２、及び紫外画像検証部４０３における画像内検証を説明する。可視画像検証部４０１、赤外画像検証部４０２、及び紫外画像検証部４０３は、画像内検証として、フォント検証、文字輝度検証、文字輝度差検証、及び背景輝度検証を行なう。フォント検証では、有記載部分検出部３０で検出された有記載部分について、文字認識を行い、その文字のフォントを判断する。そして、可視画像、赤外画像、及び紫外画像のそれぞれにおいて、画像内で認識されたすべての文字のフォントを互いに比較する。
【００６１】
例えば、真正の運転免許証を撮影した場合の図７（ｄ）において、各有記載部分について文字認識をしてそのフォントを判断すると、全ての文字はゴシック体であると判断される。このような真正な運転免許証に対して、名前の最後に「子」の文字を不正に追加し、期限月に「１」を不正に追加した場合に、その「子」及び「１」の文字が図８に示すように明朝体であれば、可視画像のフォント検証では不正の記載があると判断される。
【００６２】
文字輝度検証では、有記載部分検出部３０で検出された有記載部分について、文字部分の輝度を求める。具体的には、有記載部分のヒストグラムを作成し、文字部分のピークを求める。そして、視画像、赤外画像、及び紫外画像のそれぞれにおいて、検出された複数の有記載部分のヒストグラムにおける文字部分のピーク同士の差が所定の閾値内にあるかを判断する。
【００６３】
例えば、真正の運転免許証を撮影した場合の図７（ｅ）において、各有記載部分の文字部分の輝度を求めると、本来の文字は中程度の輝度となる。このような真正な運転免許証に対して、名前の最後に「子」の文字を不正に追加し、期限月に「１」を不正に追加した場合において、図８（ｂ）及び（ｅ）に示すように、その「子」の文字は、インクの種類の違いによって、本来の文字よりも低輝度（濃く）なり、逆に「１」の文字は、インクの種類の違いによって、本来の文字よりも高輝度（薄く）なるときは、これらの不正に追加された文字の輝度と他の本来の文字の輝度との差が閾値以上となり、赤外画像の文字輝度検証では不正の記載があると判断される。
【００６４】
なお、図８（ｃ）に示すように、紫外画像において、本来の文字は薄く映し出されているが、不正に追加された「子」及び「１」については、インクの種類の相違によって、映っていない。しかしながら、本実施の形態では、紫外画像についても上述のように可視画像から検出された有記載部分を採用しているので、図８（ｆ）に示すように、紫外画像において映し出されていない「子」及び「１」が不正に追加された部分についても、有記載部分とされている。よって、この紫外画像において、この「子」及び「１」が不正に追加された部分に相当する有記載部分を他の本来の記載の有記載部分と比較することで、その輝度の差が生じて、不正の記載があると判断されることになる。
【００６５】
文字輝度差検証では、上記の文字輝度検証における文字輝度を文字輝度と背景輝度との輝度差として、上記の文字輝度検証と同様の検証を行なう。即ち、可視画像、赤外画像、紫外画像のそれぞれにおいて、検出された複数の有記載部分の各々におけるヒストグラムの文字部分のピークと背景部分のピークとの差分を求め、各有記載部分の当該差分の差が所定の閾値以上であるときに、不正の記載があると判断する。
【００６６】
背景輝度検証は、上記の文字輝度検証と同様の検証を有記載部分の文字以外の部分（背景）について行なうものである。不正に追加された文字が本来の文字と同じインクを用いており、文字輝度検証では不正を発見できない場合であっても、一部の固有領域にテープを貼ったり塗料で塗りつぶしたりした上に、不正に文字が印刷されているときは、他の固有領域と比較すると、可視画像、赤外画像、紫外画像のいずれかにおいて背景輝度が異なる画像が得られる場合がある。背景輝度検証は、このような改ざんを発見するためのものである。
【００６７】
次に、画像間比較検証部４０４における画像間比較検証について説明する。画像間比較検証部４０４は、画像間比較検証として、文字輝度比較検証、文字輝度差比較検証、背景輝度比較検証を行う。
【００６８】
文字輝度比較検証では、まず、可視画像、赤外画像、及び紫外画像における対応する有記載部分同士の文字部分の輝度差を求めて、各有記載部分同士の文字部分の輝度差を比較する。図８の例では、例えば、図８（ｄ）及び（ｅ）に示すように、可視画像の「花」の文字と赤外画像の「花」の文字との輝度差を求め、その次の「子」の文字についても、可視画像の「子」の文字と赤外画像の「子」の文字との輝度差を求める。「花」の文字と「子」の文字が同じ種類のインクで印刷されている場合には、両輝度差はほぼ同じとなるはずである。しかしながら、図８の例では、本来の文字である「花」は赤外画像では可視画像よりも薄く映し出されているのに対して、「子」の文字は「花」とは別の種類のインクを用いて不正に追加された結果、赤外画像でも可視画像と同様の輝度を有し、赤外画像と可視画像において輝度差が小さくなっている。そうすると、本来の「花」という文字についての可視画像と赤外画像との輝度差と、不正に追加された「子」という文字についての可視画像と赤外画像との輝度差との差分は比較的大きくなる。よって、この差分を閾値処理することで、不正な記載を発見できる。
【００６９】
文字輝度差比較検証では、上記の文字輝度比較検証における文字輝度を文字輝度と背景輝度との輝度差として、上記の文字輝度比較検証と同様の検証を行なう。即ち、可視画像、赤外画像、紫外画像の対応する有記載部分の輝度差の差分を求め、その差分が所定の閾値以上であるときに、不正の記載があると判断する。
【００７０】
背景輝度比較検証は、上記の文字輝度比較検証と同様の検証を有記載部分の文字以外の部分（背景）について行なうものである。不正に追加された文字が本来の文字と同じインクを用いており、文字輝度比較検証では不正を発見できない場合であっても、一部の固有領域にテープを貼ったり塗料で塗りつぶしたりした上に、不正に文字が印刷されているときは、他の固有領域と比較すると、可視画像、赤外画像、紫外画像のいずれかにおいて背景輝度が異なる画像が得られる場合がある。背景輝度比較検証は、このような改ざんを発見するためのものである。
【００７１】
検証部４０は、可視画像検証部４０１、赤外画像検証部４０２、紫外画像検証部４０３、画像間比較検証部４０４のそれぞれで上述の検証を行い、いずれかの検証で不正の記載が発見されれば、その運転免許証の記載に不正があると判断し、その検証結果を出力部６０に出力する。出力部６０は、表示や音声によって検証結果を出力する。対象物検証装置１００が対象物読取装置１に組み込まれる場合には、出力部６０は、対象物読取装置１に設けられたランプであってよく、不正があるとの検証結果が得られたときにそのランプを点灯又は点滅させるようにしてよい。
【００７２】
以上のように、本発明の第１の実施の形態によれば、運転免許証中の固有情報が記載されている固有領域を検証領域として、検証領域から複数の有記載部分を検出して、その検出された複数の有記載部分同士を比較することで、不正な記載の有無を検証するので、検証領域中の有記載部分が運転免許証ごとに異なる場合（例えば、氏名が３文字の場合と４文字の場合）であっても、確実に有記載部分を検出してそれらを比較する事ができる。
【００７３】
また、第１の実施の形態では、可視画像において有記載部分が検出され、それを赤外画像及び紫外画像においても適用することで、例えば、赤外画像において不正な記載のみが映し出されたり、紫外画像において不正な記載のみが映っていなかったりする場合にも不正を発見できる。
【００７４】
なお、上記の第１の実施の形態において、画像間比較検証部４０４における画像間検証は省略してもよい。また、可視画像検証部、赤外画像検証部、紫外画像検証部のいずれかを省略してもよい。
【００７５】
また、上記の第１の実施の形態では、検証領域記情報記憶部５０には、運転免許証の定型領域の情報が記憶されていたが、この代わりに、運転免許証の固有領域の情報が記憶されていてもよい。この場合には、検証領域特定部２０は、検証領域情報記憶部５０に記憶されている固有領域を検証領域として特定する。また、検証領域情報記憶部５０には、運転免許証以外の証書の定型領域又は固有領域の情報が記憶されていてもよい。
【００７６】
また、検証領域特定部２０は、検証領域情報記憶部５０に記憶された情報ではなく、ユーザからの入力に基づいて検証領域を特定してもよい。この場合には、検証領域情報記憶部５０は省略できる。このように、検証領域をユーザが任意に指定できるようにすることで、ユーザは、検証を行ないたい任意の対象物について、検証を行なうことができる。さらに、固有領域に用いられるインクと定型領域に用いられるインクの種類が同じである場合には、検証領域を特定する必要はなく、この場合には、検証領域特定部２０及び検証領域情報記憶部５０を省略できる。
【００７７】
（第２の実施の形態）
図９は、本発明の第２の実施の形態の対象物検証装置の構成を示すブロック図である。図９に示す対象物検証装置１１０において、第１の実施の形態の対象物検証装置１００と同一の構成については、同一の符号を付して説明を適宜省略する。
【００７８】
本実施の形態の対象物検証装置１１０は、画像取得部１０と、検証領域特定部２０と、有記載部分検出部３１と、画像間比較検証部４１と、検証領域情報記憶部５０と、出力部６０とを備えている。画像取得部１０は、第１の実施の形態と同様に可視画像取得部１０１と、赤外画像取得部１０２と、紫外画像取得部１０３とからなる。本実施の形態の対象物検証装置１１０の有記載部分検出部３１は、可視画像検出部３０１と、赤外画像検出部３０２と、紫外画像検出部３０３とからなる。
【００７９】
可視画像検出部３０１は、可視画像取得部１０１にて取得した可視画像中の、検証領域特定部２０にて特定された検証領域から、有記載部分を検出する。赤外画像検出部３０２は、赤外画像取得部１０２にて取得した赤外画像中の、検証領域特定部２０にて特定された検証領域から、有記載部分を検出する。紫外画像検出部３０３は、紫外画像取得部１０３にて取得した紫外画像中の、検証領域特定部２０にて特定された検証領域から、有記載部分を検出する。即ち、本実施の形態では、可視画像、赤外画像、及び紫外画像のそれぞれから有記載部分が検出される。
【００８０】
画像間比較検証部４１には、可視画像検出部３０１、赤外画像検出部３０２、及び紫外画像検出部３０３にてそれぞれ検出された有記載部分の画像が入力される。画像間比較検証部４１では、これらの有記載部分について、画像間の比較を行なうことで真贋を検証する。
【００８１】
図１０は、図８の例と同様に改ざんされた運転免許証を撮影した場合の例を示している。即ち、氏名の欄において、本来の「花」という文字の後に「子」の文字が不正に追加され、期限月の欄において、本来の「１」という文字の前に「１」の文字が不正に追加されている。図１０（ａ）は、可視画像であり、図１０（ｄ）は可視画像に対して有記載部分の検出を行なった結果であり、図１０（ｂ）は、赤外画像であり、図１０（ｅ）は赤外画像に対して有記載部分の検出を行なった結果であり、図１０（ｃ）は、紫外画像であり、図１０（ｆ）は紫外画像に対して有記載部分の検出を行なった結果である。
【００８２】
図１０の例でも図８の例と同様に、紫外画像では不正に追加した「子」及び「１」の文字は映し出されていない。図１０と図８を比較すると、第１の実施の形態の図８では、可視画像から検出した有記載部分を紫外画像にも適用したので、紫外画像においても追加された「子」及び「１」に対応する部分が有記載部分とされたのに対して、本実施の形態の図１０では、紫外画像から有記載部分が検出されるので、紫外画像では、追加された「子」及び「１」の部分は有記載部分として検出されない。この結果、図１０の（ｄ）〜（ｆ）に示すように、可視画像、赤外画像、及び紫外画像において、有記載部分の配置は異なっている。
【００８３】
画像間比較検証部４１は、画像間比較検証として、配置比較検証、文字輝度比較検証、文字輝度差比較検証、背景輝度比較検証を行う。配置比較検証では、可視画像における有記載部分の配置と、赤外画像における有記載部分の配置と、紫外画像における有記載部分の配置とを互いに比較する。上述のように、図１０（ａ）及び（ｂ）に示すように、不正に追加された「子」及び「１」の文字は、可視画像及び赤外画像においては、そこに映し出されているので、図１０（ｄ）及び（ｅ）に示すように、有記載検出部３０による検出によって、有記載部分として検出されている。しかしながら、図１０（ｃ）に示すように、紫外画像においては、不正に追加された「子」及び「１」の文字は、そこに映し出されていないので、図１０（ｆ）に示すように、有記載部分として検出されていない。よって、この図８（ｄ）、（ｅ）、（ｆ）の有記載部分の配置を互いに比較することで、「子」及び「１」の文字において相違が生じ、不正の記載があると判断できる。
【００８４】
文字輝度比較検証、文字輝度差比較検証、及び背景輝度比較検証は、第１の実施の形態と同様であるので、説明を省略する。なお、画像間において比較すべき対応する有記載部分がない場合には、その有記載部分については比較を行わない。画像間比較検証部４１において、いずれかの比較検証において、不正があると判断された場合には、不正があるという結果を出力部６０に出力する。
【００８５】
以上のように、第２の実施の形態によれば、可視画像、赤外画像、及び紫外画像のそれぞれにおいて、有記載部分が検出されるので、赤外画像や紫外画像において本来の文字が映し出されているのに、不正に追加した文字がインクの種類の相違によって映し出されなかった場合に、有記載部分の配置を画像間で比較することで、不正な記載を発見できる。
【００８６】
なお、第２の実施の形態では、画像間検証のみを行い、画像内検証は行わないので、必ずしも検証領域特定部２０において検証領域を特定して、有記載部分検出部３１では検証領域に限って有記載部分を検出しなければならないということはない。よって、第２の実施の形態において、検証領域特定部２０及び検証領域情報記憶部５０を省略して、有記載部分検出部３１が、画像内の全領域において有記載部分の検証を行なってもよい。また、検証領域特定部２０にて、画像を固有領域と定型領域とに分けて、定型領域については、予め記憶された定型情報との比較を行なうことにより、改ざんの有無を検証してもよい。
【産業上の利用可能性】
【００８７】
本発明は、特殊な材料で付された認証マークを必要とせず、対象物中の任意の領域における不正な記載を発見できるという効果を有し、対象物の真贋を検証する対象物検証装置等として有用である。
【符号の説明】
【００８８】
１  対象物読取装置
２  ハウジング
３  ガラス板
４  運転免許証
４ａ  被読取面
５  メイン基板
６  照明基板
７  ＬＥＤ列
８  上側導光体
９  下側導光体
１３  カメラ
１４  反射鏡
１６  スペーサー
１００  対象物検証装置
１０  画像取得部
１０１  可視画像取得部
１０２  赤外画像取得部
１０３  紫外画像取得部
２０  検証領域特定部
３０  有記載部分検出部
４０  検証部
４０１  可視画像検証部
４０２  赤外画像検証部
４０３  紫外画像検証部
４０４  画像間比較検証部
５０  検証領域情報記憶部
６０  出力部
１１０  対象物検証装置
３１  有記載部分検出部
３０１  可視画像検出部
３０２  赤外画像検出部
３０３  紫外画像検出部
４１  画像間比較検証部
１０００  対象物検証システム
【図１】
0006052657.tif 000002
【図２】
0006052657.tif 000003
【図３】
0006052657.tif 000004
【図４】
0006052657.tif 000005
【図５】
0006052657.tif 000006
【図６】
0006052657.tif 000007
【図９】
0006052657.tif 000008
【図７】
0006052657.tif 000009
【図８】
0006052657.tif 000010
【図１０】
0006052657.tif 000011